(57)【要約】【課題】バルブ手段が作動するときにおける作動音を小さくするのに有利な局部洗浄装置を提供する。【解決手段】装置は洗浄部とバルブ手段とアキュムレータ手段６とをもつ。アキュムレータ手段６は、液室６１の圧力に対向する力を発揮するバネ性をもつバネ要素６５とをもつ。アキュムレータ手段６と洗浄部２との間において、バルブ手段４の上流の脈動の谷ピークのタイミングをＴｖとする。バルブ手段４の下流の脈動の山ピークのタイミングをＴｍとする。アキュムレータ手段６と洗浄部２との間においてバルブ手段４の下流の脈動の一の山ピークと次の山ピークとの時間間隔を相対表示で１００とする。時間軸においてＴｖがＴｍに対してプラスマイナス２０以内に位置するようにＴｍの位相およびＴｖの位相を合致させて、アキュムレータ手段６のバネ要素６５のバネ荷重は設定されている。【選択図】図１
2007023727.tif 000002
【特許請求の範囲】
【請求項１】
給水源から供給された水を吹き出して人体の局部を洗浄する洗浄部と、
前記給水源と前記洗浄部とをつなぐ給水路と、
前記給水路において前記洗浄部の上流に設けられ、前記給水源側に連通する入口ポートと前記洗浄部側に連通する出口ポートとを有し、所定の時間間隔で開口量を変化させることにより、前記洗浄部に供給される水流に圧力の脈動を形成するバルブ手段とを具備する局部洗浄装置において、
前記給水路において前記給水源と前記バルブ手段との間に介在し蓄圧機能を有するアキュムレータ手段を備えており、
前記アキュムレータ手段は、前記バルブ手段の上流において開口すると共に前記給水路の水が流入する液室と、前記液室の圧力に対向する力を発揮するバネ性をもつバネ要素とを備えており、
前記アキュムレータ手段と前記洗浄部との間において前記バルブ手段の上流の脈動の谷ピークのタイミングをＴｖとし、前記バルブ手段の下流の脈動の山ピークのタイミングをＴｍとし、前記バルブ手段の下流の脈動の一の山ピークと次の山ピークとの時間間隔を相対表示で１００とするとき、時間軸においてＴｖがＴｍに対して相対表示でプラスマイナス２０以内に位置するようにＴｍの位相およびＴｖの位相を合致させて、前記アキュムレータ手段の前記バネ要素のバネ荷重は設定されていることを特徴とする局部洗浄装置。
【請求項２】
請求項１において、時間軸においてＴｖがＴｍに対して相対表示でプラスマイナス１０以内に位置するようにＴｍの位相およびＴｖの位相を合致させて、前記アキュムレータ手段の前記バネ要素のバネ荷重は設定されていることを特徴とする局部洗浄装置。
【請求項３】
請求項１または２において、前記給水路のうち少なくとも一部は、撓み性をもつ配管で形成されていることを特徴とする局部洗浄装置。
【請求項４】
請求項１〜３のうちのいずれか一項において、前記アキュムレータ手段の前記バネ要素は流体圧で形成されていることを特徴とする局部洗浄装置。
【請求項５】
請求項１〜３のうちのいずれか一項において、前記アキュムレータ手段の前記バネ要素は機械的バネで形成されていることを特徴とする局部洗浄装置。
【請求項６】
請求項１〜５のうちのいずれか一項において、前記バネ要素のバネ荷重を調整可能とする調整手段が設けられていることを特徴とする局部洗浄装置。
【請求項７】
請求項１〜６のうちのいずれか一項において、前記バルブ手段は、固定子と、前記固定子を励磁させる励磁コイル部と、前記固定子の励磁に伴い移動して前記給水路を開閉する可動子とを備えていることを特徴とする局部洗浄装置。
【請求項８】
請求項１〜７のうちのいずれか一項において、前記給水路には、前記給水路を流れる水を加熱する加熱部が設けられていることを特徴とする局部洗浄装置。
【発明の詳細な説明】
【技術分野】
【０００１】
本発明は人体等の局部を水（温水を含む）で洗浄するノズル等の洗浄部をもつ局部洗浄装置に関する。
【背景技術】
【０００２】
従来、給水源から供給された水を吹き出して人体の局部を洗浄する洗浄部と、給水源と洗浄部とをつなぐ給水路と、給水路において洗浄部の上流に設けられたバルブ手段とを具備する局部洗浄装置が知られている。バルブ手段は、給水源側に連通する入口側の入口ポートと洗浄部側に連通する出口ポートとを有し、所定の時間間隔で開口量を変化させることにより洗浄部に供給される水流に圧力の脈動を形成する。このものによれば、水流の脈動により洗浄感を向上させることができる。水流の脈動を形成する機構として、モータで脈動圧発生体を回転させる特許文献１、プランジャポンプを採用した特許文献２、ピストンポンプを採用した特許文献３が挙げられる。
【特許文献１】特公平１−５２５３３号公報
【特許文献２】特開２０００−２８２５４５号公報
【特許文献３】特開２００３−２０６５６１号公報
【発明の開示】
【発明が解決しようとする課題】
【０００３】
上記した装置によれば、バルブ手段が作動するとき、大きな作動音が発生するおそれがある。
【０００４】
本発明は上記した実情に鑑みてなされたものであり、バルブ手段が作動するときにおける作動音を小さくするのに有利な局部洗浄装置を提供することを課題とする。
【課題を解決するための手段】
【０００５】
本発明者は上記した課題のもとに開発を進めている。そして、バルブ手段の上流と下流との差圧が大きいときに、バルブ手段の作動音が増加する傾向があることを知見した。更に、バルブ手段の上流にアキュムレータ手段を設け、アキュムレータ手段と洗浄部との間においてバルブ手段の上流の脈動Ｐ１の谷ピークの時間軸のタイミングをＴｖとし、バルブ手段の下流の脈動Ｐ２の山ピークの時間軸のタイミングをＴｍとするとき、アキュムレータ手段のバネ要素のバネ荷重を適宜調整すれば、時間軸においてタイミングＴｍの位相およびタイミングＴｖの位相を調整できることを知見した。更に、時間軸においてタイミングＴｍの位相およびタイミングＴｖの位相をできるだけ合致させるように、アキュムレータ手段のバネ要素のバネ荷重を設定すれば、バルブ手段の上流及び下流の差圧が低減され、バルブ手段が作動するときにおける作動音を小さくできることを知見した。かかる知見に基づいて本発明者は本発明に係る局部洗浄装置を完成させた。
【０００６】
即ち、本発明に係る局部洗浄装置は、給水源から供給された水を吹き出して人体の局部を洗浄する洗浄部と、給水源と洗浄部とをつなぐ給水路と、給水路において洗浄部の上流に設けられ、給水源側に開口する入口ポートと洗浄部側に開口する出口ポートとを有し、所定の時間間隔で開口量を変化させることにより、洗浄部に供給される水流に圧力の脈動を形成するバルブ手段とを具備する局部洗浄装置において、
給水路において給水源とバルブ手段との間に介在し蓄圧機能を有するアキュムレータ手段を備えており、
アキュムレータ手段は、バルブ手段の上流において開口すると共に給水路の水が流入する液室と、液室の圧力に対向する力を発揮するバネ性をもつバネ要素とを備えており、
アキュムレータ手段と洗浄部との間においてバルブ手段の上流の脈動の谷ピークのタイミングをＴｖとし、バルブ手段の下流の脈動の山ピークのタイミングをＴｍとし、バルブ手段の下流の脈動の一の山ピークと次の山ピークとの時間間隔を相対表示で１００とするとき、時間軸においてＴｖがＴｍに対して相対表示でプラスマイナス２０以内に位置するようにＴｍの位相およびＴｖの位相を合致させて、アキュムレータ手段のバネ要素のバネ荷重は設定されていることを特徴とするものである。
【０００７】
本発明によれば、時間軸においてＴｍの位相およびＴｖの位相をできるだけ合致させてアキュムレータ手段のバネ要素のバネ荷重は設定されている。即ち、バルブ手段の下流の脈動の一の山ピークと次の山ピークとの時間間隔を相対表示で１００とするとき、時間軸においてＴｖがＴｍに対して相対表示でプラスマイナス２０以内に位置するようにＴｍの位相およびＴｖの位相を合致させて、アキュムレータ手段のバネ要素のバネ荷重は設定されている。このため、バルブ手段の上流及び下流の差圧が低減され、脈動時における作動音を小さくできる。時間軸においてＴｖがＴｍに対して相対表示でプラスマイナス２０の領域を越えるときには、バルブ手段の上流及び下流の差圧が大きくなり、バルブ手段が脈動を発生させるときにおける作動音が大きくなる。
【発明の効果】
【０００８】
本発明によれば、アキュムレータ手段と洗浄部との間においてバルブ手段の下流の脈動の一の山ピークと次の山ピークとの時間間隔を相対表示で１００とするとき、時間軸においてＴｍの位相およびＴｖの位相をできるだけ合致させてアキュムレータ手段のバネ要素のバネ荷重は設定されている。即ち、時間軸においてＴｖがＴｍに対してプラスマイナス２０以内に位置するように、Ｔｍの位相およびＴｖの位相を合致させて、アキュムレータ手段のバネ要素のバネ荷重は設定されている。このため、バルブ手段の上流及び下流の差圧が低減され、バルブ手段の脈動生成時における作動音を小さくできる。
【発明を実施するための最良の形態】
【０００９】
本発明によれば、アキュムレータ手段と洗浄部との間においてバルブ手段の下流の脈動の一の山ピークと次の山ピークとの時間間隔を相対表示で１００とするとき、時間軸においてＴｖがＴｍに対して相対表示でプラスマイナス１０以内に位置するように、アキュムレータ手段のバネ要素のバネ荷重は設定されている形態を例示することができる。この場合、時間軸においてＴｍの位相およびＴｖの位相をできるだけ合致させることが好ましい。脈動Ｐ１及び脈動Ｐ２の差圧が小さくなり、バルブ手段の上流及び下流の差圧が低減されるためである。なおプラスマイナス５以内または３以内を例示できる。
【００１０】
従って、時間軸においてＴｖがＴｍに対して相対表示でプラスマイナス５以内に位置するように、Ｔｍの位相およびＴｖの位相を合致させて、アキュムレータ手段のバネ要素のバネ荷重は設定されていることが好ましい。そして、上記したように時間軸においてＴｍの位相およびＴｖの位相をできるだけ合致させて差圧をできるだけ低減させた状態で、時間軸において、Ｔｍのタイミングを基準として、即ち、Ｔｍのタイミング時、または、Ｔｍのタイミングに近い時点において、バルブ手段に閉鎖作動または開放作動の指令を制御装置が出力する形態を採用することができる。
【００１１】
本発明によれば、給水路のうち少なくとも一部は、撓み性をもつ配管で形成されている形態を例示することができる。撓み性をもつ配管で給水路が形成されている場合には、流路容積が変動しやすい。この場合、Ｔｍの位相およびＴｖの位相が時間軸においてずれることがあるため、Ｔｍの位相およびＴｖの位相を時間軸においてできるだけ合致させることは有効である。この場合、給水路のうちアキュムレータ手段とバルブ手段との間の流路部分は、流路容積が変動する弾性変形可能な撓み性をもつ配管で形成されている形態を例示することができる。弾性変形可能な撓み性をもつ配管としては、ゴム系材料を基材とする配管、樹脂系材料を基材とする配管、蛇腹構造をもつ配管のうちの少なくとも１種で形成でき、更に他の撓み構造を採用しても良い。
【００１２】
本発明によれば、アキュムレータ手段は、バルブ手段の上流において開口する液室と、液室の圧力に対向する力を発揮するバネ性をもつバネ要素とを備えている。ここで、アキュムレータ手段のバネ要素は、流体圧で形成されている形態を例示することができる。流体圧としては空気、窒素などの気体の圧力を例示できる。アキュムレータ手段のバネ要素は、液室の圧力に対向する力を発揮するものであればよく、機械的バネで形成されている形態を例示することができる。機械的バネとしてはコイルバネ、板バネ等を例示できる。バネ要素のバネ荷重は調整可能とされている形態を例示することができる。従って、バネ要素のバネ荷重を調整可能とする調整手段が設けられている形態を例示できる。
【００１３】
バルブ手段は、固定子と、固定子を励磁させる励磁コイル部と、固定子の励磁に伴い移動して給水路を開閉する可動子とを備えている形態を例示することができる。給水路には、給水路を流れる水を加熱する加熱部が設けられている形態を例示することができる。バルブ手段としては、バルブ手段の上流と下流との間の差圧が大きい場合、バルブ手段が閉鎖作動するとき、バルブ手段の作動音が増加するタイプでも良い。あるいは、バルブ手段としては、前記した差圧が大きい場合、バルブ手段が開放作動するとき、バルブ手段の作動音が増加するタイプでも良い。加熱部としては電気ヒータが例示される。洗浄部に送る水を短時間のうちに加熱する瞬間給湯方式を例示できる。瞬間給湯方式では、温水タンクを廃止したり、小型化したりできる。
【実施例１】
【００１４】
以下、本発明の実施例を図１〜図６を参照して説明する。局部洗浄装置は、給水源１から供給された水を吹き出して人体等の局部を洗浄する洗浄部としてのノズル２と、給水源１とノズル２とをつなぐ給水路３と、給水路３においてノズル２の上流に設けられた脈動発生手段としての脈動バルブ４（バルブ手段）とを有する。
【００１５】
図１に示すように、脈動バルブ４は、給水源１側の入口側に連通する入口ポート４１とノズル２側に連通する出口ポート４２とバルブ孔４３ｃとを有するハウジング４３と、ハウジング４３内に保持された固定子４４と、ハウジング４３内に保持され固定子４４を励磁させる励磁コイル部４５と、ハウジング４３内に保持されバルブ孔４３ｃを開閉する可動子４６と、可動子４６を閉鎖させバルブ孔４３ｃを閉鎖させる方向に付勢する付勢バネ４７とを備えている。励磁コイル部４５に励磁電流を流して固定子４４を励磁させると、可動子４６は上方（矢印Ｕ１方向）に移動し、バルブ孔４３ｃを開放し、給水路３を開放する。励磁電流をオフとすれば、可動子４６は付勢バネ４７により下方（矢印Ｕ２方向）に移動し、バルブ孔４３ｃを閉鎖し、給水路３を閉鎖する。所定の時間間隔でバルブ孔４３ｃの開放および閉鎖が繰り返されることにより、ノズル２に供給される水流に圧力の脈動が形成される。ひいては、脈動をもつ水流で局部が洗浄される。なお、脈動バルブ４は制御装置８０からの指令により制御される。
【００１６】
図１に示すように、給水路３には、上流バルブ５０、加熱部５１（電気ヒータ）、中間バルブ５２、アキュムレータ６、脈動バルブ４、流路切替バルブ５４、ノズル２が上流から下流にかけて直列に設けられている。上流バルブ５０は給水路３と給水源１とを繋ぐものであり、水の供給および供給停止を行う機能をもつ。中間バルブ５２は可変絞り部５３をもち、ノズル２に供給する水の流量を調整するためのものである。加熱部５１は給水路３を流れる水を加熱する。ノズル２は、通常ノズル２１（お尻用）と女性用ノズル２２（ビデ用）とを有する。流路切替バルブ５４は、通常ノズル２１用の流路と女性用ノズル２２用の流路とを切り替える。給水路３は、流路容積が変動する弾性変形可能な撓み性をもつ配管３ｘで形成されている。殊に、給水路３のうちアキュムレータ６と脈動バルブ４との間の流路部分は、流路容積が変動する弾性変形可能な撓み性をもつ配管３ｘで形成されている。
【００１７】
本実施例に係る局部装置は、給水路３の水を加熱部５１により短時間のうちに加熱する瞬間給湯方式を採用している。このように瞬間給湯方式が採用されているときには、ノズル２から吐出される洗浄水の水量に制限がある。このためノズル２から吐出する洗浄水に脈動を発生させ、洗浄感を高めることにしている。
【００１８】
図１に示すように、給水路３において、給水源１と脈動バルブ４との間に介在し蓄圧機能を有するアキュムレータ手段としてのアキュムレータ６が設けられている。図３に示すように、アキュムレータ６は、給水路３において脈動バルブ４の上流において連通する液室６１をもつ基部６２と、液室６１の脈動バルブ４の入口ポート４１の上流の水流の圧力に対向する力を発揮するバネ性をもつ気体室６４に封入された空気バネ（気体バネ）で形成されたバネ要素６５とを備えている。アキュムレータ６の基部６２は、シール部６７でシールされた蓋部６８をもつ。なお、局部洗浄装置の不使用時においても、液室６１には水が残留するので、気体室６４の空気抜けは防止される。気体室６４に封入されている空気は、液室６１の圧力に対向する空気バネとして機能する。
【００１９】
さて、図４は、理想的な状態における脈動圧力波形を示す。図４において、Ｐ１は、アキュムレータ６とノズル２との間において、脈動バルブ４の上流の圧力の脈動の圧力波形を示す。Ｐ２は、脈動バルブ４の下流の脈動の圧力波形を示す。一般的には、脈動バルブ４の上流側における脈動Ｐ１の圧力は、脈動バルブ４の下流側における脈動Ｐ２の圧力よりも高い。
【００２０】
ここで、脈動バルブ４が開放すると、脈動バルブ４の上流から下流に水が供給されるため、脈動バルブ４の下流の圧力は増加し、これに伴って脈動バルブ４の上流の圧力は減少する。これに対して脈動バルブ４が閉鎖すると、脈動バルブ４の上流から下流に水が供給されないため、脈動バルブ４の下流の圧力は減少し、これに伴って脈動バルブ４の上流の圧力は増加する。これを繰り返してサインカーブに近似した波形形状をなす脈動Ｐ１および脈動Ｐ２が形成される。図４に示すように、脈動Ｐ１の圧力波形と脈動Ｐ２の圧力波形とは基本的には逆位相となる。
【００２１】
ところで実際の局部洗浄装置によれば、理想的な状態における脈動圧力波形とはならず、図５に示すように、脈動Ｐ１の圧力波形および脈動Ｐ２の圧力波形を測定してみると、脈動Ｐ１の圧力波形および脈動Ｐ２の圧力波形は、歪むのが実情である。この場合、給水路３が、流路容積が変動する弾性変形可能な撓み性をもつ配管３ｘ（例えばシリコーンホース）で形成されている場合には、脈動Ｐ１の圧力波形の歪み量、脈動Ｐ２の圧力波形１の歪み量が増加する傾向がある。殊に、給水路３のうちアキュムレータ６の開口部６０と脈動バルブ４との間の流路部分が、流路容積が変動する弾性変形可能な撓み性をもつ配管３ｘで形成されている場合には、歪み量が増加する傾向がある。
【００２２】
前記した図５は、ある条件の元において実際の脈動の歪んだ圧力波形の一例を示している。図５の横軸は時間軸、縦軸は圧力軸を示す。図５において、Ｐ１は、アキュムレータ６とノズル２との間において脈動バルブ４の上流の圧力の脈動の圧力波形を示す。脈動Ｐ１は谷ピークＰｖ（v：vally）と山ピークＰｍ（m：mountain）とを繰り返す。脈動Ｐ２は、脈動バルブ４とノズル２との間において脈動バルブ４の下流の脈動の圧力波形を示す。脈動Ｐ２は同様に谷ピークＰｖと山ピークＰｍとを繰り返す。
【００２３】
上記したような圧力波形を示す脈動Ｐ１をもつ水流がノズル２から局部に向けて吐出される。本実施例によれば、瞬間給湯方式が採用されている。このような瞬間給湯方式では、単位時間当たりの加熱量に制約があるため、ノズル２から吐出される最大吐出水量が制約されるときであっても、人体の局部の洗浄感を高めることができる。
【００２４】
図５によれば、アキュムレータ６とノズル２との間において、脈動バルブ４の上流の脈動Ｐ１の谷ピークＰｖのタイミングをＴｖ（v：vally）とし、且つ、脈動バルブ４の下流の脈動Ｐ２の山ピークＰｍのタイミングをＴｍ（m：mountain）とすると、時間軸において、Ｔｍの位相とＴｖの位相とは、Ｃずれている。従って、脈動Ｐ２の山ピークＰｍと脈動Ｐ１の谷ピークＰｖとが時間的にずれる。故に、脈動Ｐ２の山ピークＰｍの時点において、脈動Ｐ１の山ピークＰｍと脈動Ｐ２との間において、圧力軸で、差圧Ｄが生じる。差圧Ｄはかなり大きく、無視できない圧力差であることがある。
【００２５】
上記したように脈動Ｐ１と脈動Ｐ２との間に差圧Ｄが発生しているとき、脈動バルブ４が作動するとき、図２から理解できるように、可動子４６の端面４６ｃ等に差圧Ｄが作用する。このため差圧Ｄが無視できない大きさであるときには、バルブ孔４３ｃを閉鎖するように脈動バルブ４が閉鎖作動するとき、可動子４６がバルブ孔４３ｃの周縁部４３ｒに強く当たり、脈動バルブ４の作動音が増加することがある。このように本実施例で使用している脈動バルブ４によれば、脈動バルブ４が閉鎖作動するときに、無視できない作動音が発生するおそれがある。
【００２６】
そこで本実施例によれば、脈動バルブ４が閉鎖作動するとき、前記した脈動Ｐ１の谷ピークＰｖのタイミングＴｖと、脈動Ｐ２の山ピークＰｍのタイミングＴｍとを、時間軸においてできるだけ合致させることにしている。
【００２７】
即ち本実施例によれば、時間軸においてタイミングＴｖとタイミングＴｍとをできるだけ合致させるように、アキュムレータ６のバネ要素６５のバネ荷重が調製されている。換言すると、図６に示すように、アキュムレータ６とノズル２との間において脈動バルブ４の下流の脈動Ｐ１の一の山ピークＰｍと次の山ピークＰｍとの時間間隔ＴＡを相対表示で１００とするとき、時間軸において、タイミングＴｖがタイミングＴｍに対して相対表示でプラスマイナス２０以内に位置するように、Ｔｍの位相およびＴｖの位相を合致させて、アキュムレータ６のバネ要素６５のバネ荷重は設定されている。
【００２８】
具体的には、図６に示すように、時間軸において、脈動Ｐ１の谷ピークＰｖのタイミングＴｖが、脈動Ｐ２の山ピークＰｍのタイミングＴｍに対して、相対表示でプラスマイナス１０以内に位置するように、Ｔｍの位相およびＴｖの位相を合致させて、アキュムレータ６のバネ要素６５のバネ荷重は設定されている。故に、図６に示すように、脈動Ｐ２の山ピークＰｍの時点において、脈動Ｐ１の山ピークＰｍと脈動Ｐ２の波形との間において、差圧はＥとなり、かなり小さくなる。
【００２９】
従って、脈動Ｐ２の山ピークＰｍの時点を基準として（即ち、脈動Ｐ２の山ピークＰｍの時点、または、脈動Ｐ２の山ピークＰｍの時点近傍において）、制御装置８０が脈動バルブ４を閉鎖作動させる指令を脈動バルブ４の駆動回路に出力すれば良い。この場合には、上記した差圧が可動子４６の端面４６ｃ（図２）に作用するとしても、バルブ孔４３ｃを閉鎖するように脈動バルブ４が閉鎖作動するとき、可動子４６がバルブ孔４３ｃの周縁部４３ｒに強く当たることが抑制される。上記した差圧Ｅが小さいためである。この結果、脈動バルブ４の作動時における作動音の発生を防止することができる。
【００３０】
本実施例によれば、アキュムレータ６の気体室６４に封入されている空気の圧力を調製することにより、アキュムレータ６のバネ要素６５のバネ荷重は設定されている。このため、脈動バルブ４が脈動を生成させるとき、作動音を小さくすることができ、故に、局部洗浄装置の価値を高めることができる。
【００３１】
ところで、バネ要素６５のバネ荷重をチューニングするにあたり、図１に示すように、脈動Ｐ１を脈動バルブ４の上流に設けた第１圧力センサ１００ｆにより測定すると共に、脈動Ｐ２を脈動バルブ４の下流に設けた第２圧力センサ１００ｓにより測定している。但し、バネ要素６５のバネ荷重のチューニング時に、あるいは、チューニング設計時に、第１圧力センサ１００ｆおよび第２圧力センサ１００ｓが搭載されていれば良い。一般的には、実際の局部洗浄装置には第１圧力センサ１００ｆおよび第２圧力センサ１００ｓは搭載されないものであるが、場合によっては、第１圧力センサ１００ｆおよび第２圧力センサ１００ｓを搭載しておいても良い。
【００３２】
なお、上記したように本実施例で使用している脈動バルブ４によれば、脈動バルブ４が閉鎖作動するときに、無視できない作動音が発生する構造であるが、これに限らず、脈動バルブ４が開放作動するとき、脈動バルブ４の上流の脈動Ｐ１と脈動バルブ４の下流の脈動Ｐ２との間に発生する差圧の影響で、無視できない作動音を脈動バルブが発生する構造である場合に適用しても良い。この場合、上記したように差圧を低減させることにより、脈動バルブの作動音が低減する。この場合、一般的には、脈動バルブ４の下流の脈動Ｐ２の山ピークＰｍの時点を基準として（即ち、脈動Ｐ２の山ピークＰｍの時点、または、山ピークＰｍの時点近傍において）、制御装置８０が脈動バルブ４を開放作動させる指令を脈動バルブ４の駆動回路に出力することが好ましい。
【実施例２】
【００３３】
図７は本発明の実施例３を示す。本実施例は実施例１と基本的には同様の構成および作用効果を有する。以下、異なる部分を中心として説明する。アキュムレータ６Ｂが設けられている。アキュムレータ６Ｂは、給水路３において脈動バルブ４の上流において開口する液室６１Ｂをもつ基部６２Ｂと、液室６１Ｂの圧力に対向する力を発揮するバネ性をもつように気体室６４Ｂに封入された空気からなる空気バネ（気体バネ）で形成されたバネ要素６５Ｂとを備えている。液室６１Ｂと気体室６４Ｂは、膜状をなすダイアフラムで形成された受圧要素６９Ｂで仕切られている。受圧要素６９Ｂとなるダイアフラムは変形可能であり、シール部６９１でシールされている。このダイヤフラムは、ガスバリヤ性を高めるべく、樹脂層または金属層を埋設していても良い。基部６２Ｂは、ダイヤフラムを挟むように第１分割品６２１と第２分割品６２２とで形成されている。なお、気体室６４Ｂには空気に代えて、窒素ガス等の他の気体を封入しても良い。
【実施例３】
【００３４】
図８は本発明の実施例３を示す。本実施例は実施例１と基本的には同様の構成および作用効果を有する。以下、異なる部分を中心として説明する。アキュムレータ６Ｃのバネ要素６５Ｃは機械的バネで形成されている。即ち、アキュムレータ６Ｃは、給水路３において脈動バルブ４の上流において開口する液室６１Ｃをもつ基部６２Ｃと、基部６２Ｃの液室６１Ｃを区画するとともに液室６１Ｃの圧力を受ける受圧要素としてのピストン６６Ｃと、液室６１Ｃの圧力に対向する力を発揮するバネ性をもつように基部６２Ｃ内に配置されたバネ要素６５Ｃとを備えている。ピストン６６Ｃは、基部６２Ｃとの間をシールするシール部６７Ｃをもつ。バネ要素６５Ｃは機械的バネとしてのコイルバネで形成されている。
【００３５】
バネ要素６５Ｃは、液室６１の容積を小さくする方向にピストン６６Ｃを付勢する。アキュムレータ６Ｃは、バネ要素６５Ｃのバネ荷重を調整する調整手段７を有する。この調整手段７は、基部６２Ｃの内壁部６２０Ｃに形成された雌ネジ部６２２と、雌ネジ部６２２に螺合する雄ネジ部７２２と、雄ネジ部７２２をもつピストン状の移動体７０Ｃとで形成されている。移動体７０Ｃの凹状の係合部７３Ｃに工具７５を係合させた状態で、工具７５を一方向に回転操作させる。この結果、雌ネジ部６２２と雄ネジ部７２２とを一方向に螺合させ、移動体７０Ｃをピストン６６Ｃに近づければ、バネ要素６５Ｃのバネ荷重は高くなる。また、移動体７０Ｃの係合部７３Ｃに工具７５を係合させた状態で、工具７５を逆方向に回転操作させることにより、雌ネジ部６２２と雄ネジ部７２２とを他方向に螺合させれば、移動体７０Ｃをピストン６６Ｃから遠ざければ、バネ要素６５Ｃのバネ荷重は低くなる。
【００３６】
このようにして液室６１Ｃの圧力に対向する力を発揮するバネ要素６５Ｃのバネ荷重を調整することができる。なお係合部７３Ｃとしては凸状でも良い。雌ネジ部６２２と雄ネジ部７２２は、移動体７０Ｃの回転運動を移動体７０Ｃの直進運動に変換する機構を構成し、バネ要素６５Ｃのバネ荷重を調整する。バネ要素６５Ｃはコイルバネに限らず、板バネでもよい。
【００３７】
（他の実施例）
本発明は上記しかつ図面に示した実施例のみに限定されるものではなく、要旨を逸脱しない範囲内において適宜変更して実施できる。
【産業上の利用可能性】
【００３８】
上記した人体の局部を洗浄する洗浄部をもつ局部洗浄装置に利用できる。
【図面の簡単な説明】
【００３９】
【図１】全体の配管を示す構成図である。
【図２】脈動バルブの断面図である。
【図３】アキュムレータの断面図である。
【図４】理想的状態に係り、アキュムレータとノズルとの間においてバルブの上流の圧力の脈動Ｐ１の圧力波形を示すと共に、脈動バルブとノズルとの間において脈動バルブの下流の脈動Ｐ２の圧力波形を示すグラフである。
【図５】実際の状態に係り、アキュムレータとノズルとの間においてバルブの上流の圧力の脈動Ｐ１の圧力波形を示すと共に、脈動バルブとノズルとの間において脈動バルブの下流の脈動Ｐ２の圧力波形を示すグラフである。
【図６】バネ要素のバネ荷重を調整した状態に係り、アキュムレータとノズルとの間においてバルブの上流の圧力の脈動Ｐ１の圧力波形を示すと共に、脈動バルブとノズルとの間において脈動バルブの下流の脈動Ｐ２の圧力波形を示すグラフである。
【図７】他の実施例に係り、アキュムレータの断面図である。
【図８】別の他の実施例に係り、アキュムレータの断面図である。
【符号の説明】
【００４０】
１は給水源、２はノズル（洗浄部）、３は給水路、４は脈動バルブ、４４は固定子、４５は励磁コイル部、４６は可動子、６はアキュムレータ（アキュムレータ手段）、６０は開口部、６１は液室、６２は基部、６４は気体室、６５はバネ要素、６９は受圧要素、７は調整手段を示す。
【図１】
2007023727.tif 000003
【図２】
2007023727.tif 000004
【図３】
2007023727.tif 000005
【図４】
2007023727.tif 000006
【図５】
2007023727.tif 000007
【図６】
2007023727.tif 000008
【図７】
2007023727.tif 000009
【図８】
2007023727.tif 000010